(57)【要約】【課題】上下に積み重ねて壁面を形成する板材（羽目板）の横ずれ、ガタつきを防止し、好適に壁面を形成することを可能にした横羽目の板張り壁構造及びこれを備えた建物外部構築物を提供する。【解決手段】一端部に係合凸部２５を、他端部に係合凹部を設けて板材１５を形成し、この板材１５の幅方向一側端部と他側端部にそれぞれ一対の枠部材２７を取り付ける。また、枠部材２７を、板材１５の内面側及び外面側にそれぞれ配設されて係合する一対の第１側壁部２７ａと、各第１側壁部２７ａから板材１５の厚さ方向中央側に延設される一対の段部２７ｂと、各段部２７ｂから板材１５の幅方向外側に延設される一対の第２側壁部２７ｃと、一対の第２側壁部２７ｃの他側端同士を連結する底板部２７ｄとを備えて形成する。【選択図】図８
2015132116.tif 000002
【特許請求の範囲】
【請求項１】
上下方向に複数の板材を積み重ねて形成される横羽目の板張り壁構造であって、
前記板材が、上下方向一端部に上下方向に突設された係合凸部と、他端部に上下方向に凹設された係合凹部とを備えて形成され、
且つ、前記板材の幅方向一側端部と他側端部にそれぞれ取り付けられる一対の枠部材と、
上下方向に延びる嵌合溝を備え、前記板材の一側端部と他側端部をそれぞれ互いの前記嵌合溝に嵌合させつつ、上方の板材と下方の板材の前記係合凸部と前記係合凹部を係合させ前記複数の板材を積み重ねた状態で保持する一対の保持部材とを備えており、
前記枠部材が、前記板材の内面側及び外面側にそれぞれ配設されて係合する一対の第１側壁部と、前記第１側壁部に一側端を繋げ、前記各第１側壁部から前記板材の厚さ方向中央側に延設される一対の段部と、前記段部の他側端に一側端を繋げ、前記各段部から前記板材の幅方向外側に延設される一対の第２側壁部と、前記一対の第２側壁部の他側端同士を連結する底板部とを備え、前記底板部の幅を前記係合凸部の幅より大きくして形成され、
前記一対の第１側壁部を前記板材に係合させるとともに、上端から上方に、下端から下方に、前記係合凸部と前記係合凹部がそれぞれ突出するように、前記板材の一側端部と他側端部に取り付けられていることを特徴とする板張り壁構造。
【請求項２】
請求項１記載の板張り壁構造において、
前記係合凸部と前記係合凹部を係合させて上下方向に積み重ねた複数の板材に対し、該複数の板材を一体に保持するように前記一対の枠部材を取り付けて板材ユニットが形成され、
前記板材ユニットを一対の保持部材に保持させて構成されていることを特徴とする板張り壁構造。
【請求項３】
請求項１または請求項２に記載の板張り壁構造において、
前記係合凸部の突出長を前記係合凹部の凹み長よりも大きくして前記係合凸部と前記係合凹部が形成されており、
前記係合凸部と前記係合凹部を係合させた状態で、前記係合凸部の基端が繋がる一方の板材の一端部と、前記係合凹部を形成する一対の突部の先端の他方の板材の他端部との上下方向の間に隙間が形成されるように構成されていることを特徴とする板張り壁構造。
【請求項４】
請求項３記載の板張り壁構造において、
前記係合凸部が、前記板材の一端部に基端を繋げて上下方向に突出する軸部と、前記軸部の先端から前記板材の厚さ方向に突出し、前記係合凹部の内面に当接して係合する係合当接部とを備えて断面Ｔ字状に形成され、
前記枠部材は、前記底板部の幅を前記係合凸部の係合当接部の幅より大にして形成されていることを特徴とする板張り壁構造。
【請求項５】
前面壁部と、一端側を前記前面壁部に接続して設けられた屋根部とを備え、あるいは前記前面壁部及び前記屋根部と、一側端側を前記前面壁部に、上端側を前記屋根部に接続して設けられた一対の側面壁部とを備え、前記屋根部の他端側、前記側面壁部の他側端側を建物本体の外壁に配置して構築される建物外部構築物であって、
前記前面壁部及び／又は前記側面壁部の少なくとも一部に、請求項１から請求項４のいずれか一項に記載の板張り壁構造を備えていることを特徴とする建物外部構築物。
【発明の詳細な説明】
【技術分野】
【０００１】
本発明は、横羽目の板張り壁の構造及びこの板張り壁構造を備えたサンルームなどの建物外部構築物に関する。
【背景技術】
【０００２】
住宅や店舗などの建物の多機能化を図り、利便性、快適性を向上させることができるという大きな利点を有することから、サンルームやテラス、バルコニーなどのガーデンルームタイプの建物外部構築物や、カーポート、自転車置き場、オープンテラス、物置、通路等のサイドスルータイプの建物外部構築物を住宅などの建物本体の外部に構築（設置、増築）するケースが増大している（例えば、特許文献１、特許文献２参照）。
【０００３】
そして、ガーデンルームタイプの建物外部構築物Ａは、住宅などの建物本体Ｔの外壁Ｔ１に沿って、且つ外壁Ｔ１と所定の間隔をあけて設けられる前面壁部１と、一端２ａを前面壁部１の上端側に、他端を２ｂ建物本体Ｔの外壁Ｔ１側にそれぞれ接続して設けられる屋根部２と、前面壁部１と屋根部２と建物本体Ｔの外壁Ｔ１側にそれぞれ接続して設けられる一対の側面壁部３とを備えて構成されている（図１及び図２参照）。
【０００４】
また、この種の建物外部構築物Ａには、前面壁部１を、土間コンクリートやデッキ、独立基礎等の基礎４上に、住宅などの建物本体Ｔの外壁Ｔ１に沿う横方向Ｓ１に且つ外壁Ｔ１と所定の間隔をあけて設置される基台５と、基台５に下端部６ａを接続して立設されるとともに横方向Ｓ１に所定の間隔をあけて並設される複数の支柱６と、複数の支柱６の上端部に接続して横方向Ｓ１に架設される桁７と、下端部を基台５に、両側端部を支柱６に、上端部を桁７にそれぞれ支持させて、隣り合う支柱６の間に配設されるガラス板などの前面パネル（壁面部材）８を備えて構成したものがある。
【０００５】
また、屋根部２は、建物本体Ｔに設置される垂木掛け１０と、横方向Ｓ１に所定の間隔をあけて配設されるとともに、一端を桁７に、他端を垂木掛け１０にそれぞれ接続して架設される複数の垂木１１と、垂木１１に支持させて屋根面を形成する例えばポリカーボネートやアクリル等の樹脂板やガラス板等の屋根材１２とを備えて構成されている。
【０００６】
さらに、側面壁部３は、一般に、前面壁部１と同様に、基台５、支柱６及び側面パネル（壁面部材）１３を設置して構成したり、折り戸１４や窓を設置して構成されている。
【先行技術文献】
【特許文献】
【０００７】
【特許文献１】特開２００７−２４７１７６号公報
【特許文献２】特開２００２−２２７４３８号公報
【発明の概要】
【発明が解決しようとする課題】
【０００８】
ここで、略矩形平板状の複数の板材（羽目板）１５を互いの板面が面一になるように上下に積み重ねてなる横羽目の板張り壁（板張り壁構造）１６を設けて、側面壁部３や前面壁部１を構成する場合もある。
【０００９】
また、板材１５は、基台５や支柱６、桁７、垂木１１、垂木掛け１０などと同様に、アルミ押出し形材を用い、その上端部（又は下端部）の幅方向中央に、上面から上方に突出し、一側端部から他側端部まで延びる係合凸部を備え、且つ、下端部（又は上端部）の厚さ方向両側にそれぞれ、上方に突出して一側端部から他側端部まで延びる突部が形成され、この一対の突部の間の厚さ方向中央に係合凹部を備えて形成されている。
【００１０】
そして、板材を順次下方の板材の係合凸部に上方の板材の係合凹部に係合させながら上下に積み重ねてゆく。これにより、アルミ押出し形材を板材（横羽目）として用い、上下に隣り合う板材１５同士を本実継ぎや矢筈継ぎで継ぎ合わせて互いの板面を面一にした状態で一体に保持して、板張り壁１６が構築される。
【００１１】
しかしながら、上記従来のサンルームなどの建物外部構築物の側面壁部（や前面壁部）に板材（羽目板）を積み重ねた板張り壁を構築する際には、長尺のアルミ押出し形材を現場の状況に合わせて現地で切断し、複数の板材を形成する場合が多々ある。
【００１２】
そして、このように現地で切断して複数の板材を形成することで、各板材に幅方向（長手方向）の寸法誤差が生じ、これに伴い、複数の板材を上下に重ねて板張り壁を形成した後に上下の板材に寸法差に起因した横ずれ、ガタつきが生じる場合があった。
【００１３】
また、複数の板材の側端部に取り付けた断面コ字状の枠部材によって、この板材の寸法差を吸収することができず、例えば幅が異なる板材ユニットが形成され、複数の板材ユニットを上下に重ねた後に、やはり板材の寸法差に起因した板材ユニットの横ずれ、ガタつきが生じる場合があった。
【００１４】
本発明は、上記事情に鑑み、上下に積み重ねて壁面を形成する板材（羽目板）の横ずれ、ガタつきを防止し、好適に壁面を形成することを可能にした横羽目の板張り壁構造及びこれを備えた建物外部構築物を提供することを目的とする。
【課題を解決するための手段】
【００１５】
上記の目的を達するために、この発明は以下の手段を提供している。
【００１６】
本発明の板張り壁構造は、上下方向に複数の板材を積み重ねて形成される横羽目の板張り壁構造であって、前記板材が、上下方向一端部に上下方向に突設された係合凸部と、他端部に上下方向に凹設された係合凹部とを備えて形成され、且つ、前記板材の幅方向一側端部と他側端部にそれぞれ取り付けられる一対の枠部材と、上下方向に延びる嵌合溝を備え、前記板材の一側端部と他側端部をそれぞれ互いの前記嵌合溝に嵌合させつつ、上方の板材と下方の板材の前記係合凸部と前記係合凹部を係合させ前記複数の板材を積み重ねた状態で保持する一対の保持部材とを備えており、前記枠部材が、前記板材の内面側及び外面側にそれぞれ配設されて係合する一対の第１側壁部と、前記第１側壁部に一側端を繋げ、前記各第１側壁部から前記板材の厚さ方向中央側に延設される一対の段部と、前記段部の他側端に一側端を繋げ、前記各段部から前記板材の幅方向外側に延設される一対の第２側壁部と、前記一対の第２側壁部の他側端同士を連結する底板部とを備え、前記底板部の幅を前記係合凸部の幅より大きくして形成され、前記一対の第１側壁部を前記板材に係合させるとともに、上端から上方に、下端から下方に、前記係合凸部と前記係合凹部がそれぞれ突出するように、前記板材の一側端部と他側端部に取り付けられていることを特徴とする。
【００１７】
この発明においては、枠部材が一対の第１側壁部を備えていることにより、これら一対の第１側壁部で挟み込むように係合させて板材の一側端部や他側端部に枠部材を取り付けることができる。
【００１８】
そして、一対の第１側壁部を板材に係合させるとともに、上端から上方に、下端から下方に、係合凸部と係合凹部がそれぞれ突出するように枠部材が取り付けられ、且つ、枠部材が一対の段部と一対の第２側壁部と底板部を備えて形成され、さらに、底板部の幅を係合凸部の幅より大きくして形成されている。
【００１９】
このため、板材の一側端部と他側端部をそれぞれ互いの保持部材の嵌合溝に嵌合させつつ、上方の板材と下方の板材の係合凸部と係合凹部を係合させて複数の板材を積み重ねた状態で、上下に積み重ねた板材に相対的な横ずれが生じると、上下に積み重ねた一方の板材の係合凹部を画成し、上端あるいは下端から突出した一対の突部が、他の板材に取り付けられた枠部材の段部に当接し、さらに、一方の板材の係合凸部が他の板材に取り付けられた枠部材の底板部に当接する。
【００２０】
これにより、上下の板材同士が、一方の板材の一対の突部と他方の板材に取り付けられた枠部材の段部との間の隙間寸法（板材の幅方向の離間距離）、一方の板材の係合凸部と他方の板材に取り付けられた枠部材の底板部との間の隙間寸法（板材の幅方向の離間距離）よりも大きく横ずれすることを防止できる。すなわち、複数の板材の幅寸法の誤差を前記隙間寸法で許容しつつ、この隙間寸法よりも大きく板材（羽目板）が相対的に横ずれすることを防止できる。
【００２１】
また、本発明の板張り壁構造においては、前記係合凸部と前記係合凹部を係合させて上下方向に積み重ねた複数の板材に対し、該複数の板材を一体に保持するように前記一対の枠部材を取り付けて板材ユニットが形成され、前記板材ユニットを一対の保持部材に保持させて構成されていることが望ましい。
【００２２】
この発明においては、複数の板材を予め枠部材でユニット化した板材ユニットを上下に積み重ねてゆくことで、すなわち、下方の板材ユニットの最上方の板材と上方の板材ユニットの最下方の板材の互いの係合凸部、係合凹部を係合させながら複数の板材ユニットを積み重ねてゆくことで、効率よく壁を構築することができる。
【００２３】
また、上下に積み重ねた板材ユニット同士が、一方の板材ユニットの板材の一対の突部と他方の板材ユニットの枠部材の段部との間の隙間寸法、一方の板材ユニットの板材の係合凸部と他方の板材ユニットに取り付けられた枠部材の底板部との間の隙間寸法よりも大きく横ずれすることを防止できる。これにより、複数の板材の幅寸法の誤差を前記隙間寸法で許容しつつ、複数の板材を一体にしたユニット単位で、前記隙間寸法よりも大きく板材（板材ユニット）が相対的に横ずれすることを防止できる。
【００２４】
さらに、本発明の板張り壁構造においては、前記係合凸部の突出長を前記係合凹部の凹み長よりも大きくして前記係合凸部と前記係合凹部が形成されており、前記係合凸部と前記係合凹部を係合させた状態で、前記係合凸部の軸部の基端が繋がる一方の板材の一端部と、前記係合凹部を形成する一対の突部の先端の他方の板材の他端部との上下方向の間に隙間が形成されるように構成されていることがより望ましい。
【００２５】
この発明においては、係合凸部の突出長を係合凹部の凹み長よりも大きくして係合凸部と係合凹部を形成することにより、係合凸部と係合凹部を係合させた状態で、係合凸部の軸部の基端が繋がる一方の板材の一端部と、係合凹部を形成する一対の突部の先端の他方の板材の他端部との上下方向の間に隙間を形成することができる。
そして、この隙間に、例えば、棚板の端部を差し込み、板張り壁構造に容易に棚板を設置することができる。これにより、隙間を設けることで板張り壁構造に他の機能を付与することができ、板張り壁構造をさらに有効活用することができる。
【００２６】
また、本発明の板張り壁構造においては、前記係合凸部が、前記板材の一端部に基端を繋げて上下方向に突出する軸部と、前記軸部の先端から前記板材の厚さ方向に突出し、前記係合凹部の内面に当接して係合する係合当接部とを備えて断面Ｔ字状に形成され、前記枠部材は、前記底板部の幅を前記係合凸部の係合当接部の幅より大にして形成されていることがさらに望ましい。
【００２７】
この発明においては、係合凹部を画成する突部と係合凸部の軸部の間にも隙間を形成することができる。
これにより、例えば、棚板の端部に設けた金具などを突部と軸部の間の隙間に差し込み、係合凸部の軸部の基端が繋がる一方の板材の一端部と、係合凹部を形成する一対の突部の先端の他方の板材の他端部との上下方向の間に隙間に棚板の端部を差し込んで、板張り壁構造に容易に且つしっかりと固定して棚板を設置することが可能になる。
【００２８】
本発明の建物外部構築物は、前面壁部と、一端側を前記前面壁部に接続して設けられた屋根部とを備え、あるいは前記前面壁部及び前記屋根部と、一側端側を前記前面壁部に、上端側を前記屋根部に接続して設けられた一対の側面壁部とを備え、前記屋根部の他端側、前記側面壁部の他側端側を建物本体の外壁に配置して構築される建物外部構築物であって、前記前面壁部及び／又は前記側面壁部の少なくとも一部に、上記のいずれかの板張り壁構造を備えていることを特徴とする。
【００２９】
この発明においては、上記の板張り壁構造による作用効果を得ることができ、信頼性、利便性や快適性に優れたサンルームやテラス、バルコニーなどのガーデンルームタイプの建物外部構築物や、カーポート、オープンテラス、自転車置き場、物置、通路等のサイドスルータイプの建物外部構築物を実現することが可能になる。
【発明の効果】
【００３０】
本発明の板張り壁構造及びこれを備えた建物外部構築物においては、板張り壁構造の上下の板材同士が、一方の板材の一対の突部と他方の板材に取り付けられた枠部材の段部との間の隙間寸法、一方の板材の係合凸部と他方の板材に取り付けられた枠部材の底板部との間の隙間寸法よりも大きく横ずれすることを防止できる。すなわち、複数の板材の幅寸法の誤差を前記隙間寸法で許容しつつ、この隙間寸法よりも大きく板材（羽目板）が相対的に横ずれすることを防止できる。
【００３１】
よって、本発明の板張り壁構造及びこれを備えた建物外部構築物によれば、上下に積み重ねて壁面を形成する板材の横ずれ、ガタつきを防止し、好適に壁面を形成することが可能になり、信頼性、利便性や快適性に優れたサンルームやテラス、バルコニーなどのガーデンルームタイプの建物外部構築物や、カーポート、オープンテラス、自転車置き場、物置、通路等のサイドスルータイプの建物外部構築物を実現することが可能になる。
【図面の簡単な説明】
【００３２】
【図１】本発明の一実施形態に係る建物外部構築物を示す斜視図である。
【図２】本発明の一実施形態に係る建物外部構築物の側面壁部、板張り壁構造を示す図である。
【図３】本発明の一実施形態に係る板張り壁構造の板材を積み重ねた状態を示す図である。
【図４】本発明の一実施形態に係る板張り壁構造の板材を示す斜視図である。
【図５】本発明の一実施形態に係る板張り壁構造の板材に枠部材を取り付けた状態を示す上面視図（ａ）、下面視図（ｂ）である。
【図６】本発明の一実施形態に係る板材を保持部材に保持させた状態を示す図である。
【図７】本発明の一実施形態に係る板材ユニットを示す斜視図である。
【図８】本発明の一実施形態に係る板張り壁構造の板材の係合凸部と係合凹部を係合した部分を拡大した斜視図である。
【図９】本発明の一実施形態に係る板張り壁構造の上方の板材と下方の板材の間の隙間に棚板を設置した状態を示す図である。
【図１０】本発明の一実施形態に係る板張り壁構造の上方の板材と下方の板材の間の隙間に棚板を設置した状態を示す図である。
【発明を実施するための形態】
【００３３】
以下、図１から図１０を参照し、本発明の一実施形態に係る建物外部構築物について説明する。ここで、本実施形態では、本発明に係る建物外部構築物が、住宅や店舗などの建物本体に繋げて構築されるガーデンルームタイプの建物外部構築物であるものとして説明を行う。
【００３４】
本実施形態の建物外部構築物Ｂは、サンルーム（ガーデンルーム）であり、例えば図１及び図２に示すように、前面壁部１と、一対の側面壁部３と、屋根部２とを備えて構成されている。
【００３５】
前面壁部１は、建物本体Ｔのサッシ窓等の開口部を備えた外壁Ｔ１から所定の間隔で離間し、且つ外壁Ｔ１に略平行に対向して配設されている。そして、本実施形態の前面壁部１は、土間コンクリートやデッキ、独立基礎等の基礎４上に載置して固設されるとともに、建物本体Ｔの外壁Ｔ１に沿う横方向Ｓ１に延設された基台５と、基台５に下端部６ａを接続して立設されるとともに、横方向Ｓ１に所定の間隔をあけて並設された複数の支柱６と、複数の支柱６の上端部に接続して横方向Ｓ１に架設された桁７と、下端部を基台５に、両側端部を隣り合う支柱６に、上端部を桁７にそれぞれ支持させて壁面を形成するガラス板などの前面パネル（壁面部材）８とを備えて構成されている。
【００３６】
屋根部２は、桁７よりも上方位置の建物本体Ｔの外壁Ｔ１に、横方向Ｓ１に沿って固設された垂木掛け１０と、一端を垂木掛け１０に、他端を桁７に接続して斜設されるとともに、横方向Ｓ１に所定の間隔をあけて配設された複数の垂木１１と、隣り合う垂木１１に固定して支持され、屋根面を形成する例えばポリカーボネートやアクリル等の樹脂板、ガラス板の屋根材１２とを備えて構成されている。
【００３７】
また、桁７と垂木掛け１０の間に配設され、横方向Ｓ１に延設された中骨材（連結材）１７によって隣り合う垂木１１が連結されている。
なお、基台５、支柱６、垂木掛け１０、垂木１１、中骨材１７はアルミ押出し形材を用いて形成されている。
【００３８】
本実施形態の側面壁部３は、前面壁部１と同様、基台５と支柱６と側面パネル（壁面部材）１３を備えて形成したり、折り戸１４や窓を設置して形成されている。そして、前面壁部１の妻支柱６の上端部側に一端を接続し、建物本体Ｔの外壁Ｔ１側の側面壁部３の妻支柱６に他端を接続して妻梁１８が横方向の奥行き方向Ｓ２に沿って水平に設置されている。これにより、妻梁１８と前面壁部１の妻支柱６と側面壁部３の妻支柱６で囲まれて方形状の枠部２０が形成され、この方形状の枠部２０内に支柱６と側面パネル１３、窓、折り戸１４などが設置される。
【００３９】
さらに、側面壁部３の上部には、妻梁１８と妻垂木１１と側面壁部３の妻支柱６で囲まれて略三角形状の枠部２１が形成されている。この略三角形状の枠部２１内に、ＦＩＸ窓２２や開閉可能な換気窓などが設置されている。
【００４０】
一方、本実施形態の側面壁部３は、方形状の枠部２０内に、横羽目の板張り壁（板張り壁構造）Ｃが設けられている。
【００４１】
この板張り壁Ｃは、図１、図２、図３、図４に示すように、幅方向（長手方向／横方向Ｓ１）Ｌ１、高さ方向Ｌ２（短手方向／上下方向Ｓ３）、厚さ方向Ｌ３（奥行き方向Ｓ２）の寸法が同じ、同形同大の略矩形平板状の複数の板材（羽目板）１５を互いの板面が面一になるように上下に積み重ねて形成されている。
【００４２】
また、板張り壁Ｃの板材１５は、例えば長尺のアルミ押出し形材を所定の幅寸法で切断して形成されている。さらに、この板材１５は、図３及び図４に示すように、上端部（上下方向Ｓ３一端部）１５ａに上方に突出し、厚さ方向Ｌ３中央に設けられ、板材１５の幅方向Ｌ１一側端部１５ｃから他側端部１５ｄまで延設された係合凸部２５と、下端部（上下方向Ｓ３他端部）１５ｂの厚さ方向Ｌ３両側にそれぞれ設けられて下方に突出した一対の突部２６ａによって画成され、板材１５の厚さ方向Ｌ３中央に凹設されるとともに幅方向Ｌ１一側端部１５ｃから他側端部１５ｄまで延設された係合凹部２６とを備えて形成されている。
【００４３】
また、本実施形態の板材１５は、係合凸部２５が、板材１５の上端部１５ａに基端を繋げて上下方向Ｓ３に突出する軸部２５ａと、軸部２５ａの先端から板材１５の厚さ方向Ｌ３に突出し、係合凹部２６の内面に当接して係合する係合当接部２５ｂとを備えて断面Ｔ字状に形成されている。
【００４４】
さらに、本実施形態の板材１５は、図３（及び図９、図１０）に示すように、係合凸部２５の突出長ｔ１を係合凹部２６の凹み長ｔ２よりも大きくして係合凸部２５と係合凹部２６が形成されている。
【００４５】
これにより、本実施形態の板張り壁Ｃでは、係合凸部２５と係合凹部２６を係合させた状態で、隣り合う一方の板材１５の上端部１５ａ（係合凸部２５の基端）と、他方の板材１５の下端部１５ｂ（係合凹部２６を形成する一対の突部２６ａの先端）との上下方向Ｓ３の間に隙間ｈ１が形成される。また、係合凹部２６を形成する突部２６ａと係合凸部２５の軸部２５ａとの間にも隙間ｈ２が形成される。
【００４６】
また、本実施形態の板張り壁Ｃにおいては、図５、図６に示すように、板材１５の幅方向Ｌ１一側端部１５ｃと他側端部１５ｄにそれぞれ取り付けられる一対の枠部材２７と、上下方向Ｓ３に延びる嵌合溝２８ａを備え、板材１５の一側端部１５ｃと他側端部１５ｄをそれぞれ互いの嵌合溝２８ａに嵌合させつつ、上方の板材１５と下方の板材１５の係合凸部２５と係合凹部２６を係合させて複数の板材１５を積み重ねた状態で保持する一対の保持部材２８とを備えている。
【００４７】
一対の保持部材２８はそれぞれ、断面略コ字状に形成され、互いの嵌合溝２８ａを対向させ、側面壁部３の方形状の枠部２０に板材１５の幅Ｌ１寸法に応じた所定の間隔をあけて立設されている。
【００４８】
一対の枠部材２７はそれぞれ、板材１５の内面側及び外面側にそれぞれ配設されて係合する一対の第１側壁部２７ａと、第１側壁部２７ａに一側端を繋げ、各第１側壁部２７ａから板材１５の厚さ方向Ｌ３中央側に延設される一対の段部２７ｂと、段部２７ｂの他側端に一側端を繋げ、各段部２７ｂから板材１５の幅方向Ｌ１外側に延設される一対の第２側壁部２７ｃと、一対の第２側壁部２７ｃの他側端同士を連結する底板部２７ｄとを備えて形成されている。
【００４９】
また、枠部材２７は、底板部２７ｄの幅ｔ４を係合凸部２５の係合当接部２５ｂの幅ｔ５より大きくして形成されている。
【００５０】
このように形成された枠部材２７は、図５及び図７、図８に示すように、一対の第１側壁部２７ａを板材１５に係合させるとともに、上端２７ｅから上方に係合凸部２５の一部が、下端２７ｆから下方に係合凹部２６を画成する一対の突部２６ａの一部がそれぞれ突出するように、板材１５の一側端部１５ｃと他側端部１５ｄに取り付けられている。
【００５１】
また、本実施形態の板張り壁Ｃでは、係合凸部２５と係合凹部２６を係合させて上下方向Ｓ３に積み重ねた複数の板材１５に対し、これら複数の板材１５を一体に保持するように一対の枠部材２７を取り付けて板材ユニット３０が形成されており、この板材ユニット３０を上下方向Ｓ３に積み重ね、一対の保持部材２８に保持させて構成されている。さらに、板材ユニット３０の各板材１５と枠部材２７は、ビス止めして一体に固定されている。
【００５２】
そして、上記のように構成した本実施形態の横羽目の板張り壁構造（板張り壁）Ｃ及びこれを備えた建物外部構築物Ｂにおいては、板張り壁構造Ｃの枠部材２７が一対の第１側壁部２７ａを備えていることにより、これら一対の第１側壁部２７ａで挟み込むように係合させて板材１５の一側端部１５ｃや他側端部１５ｄに枠部材２７を取り付けることができる。
【００５３】
また、このとき、一対の第１側壁部２７ａを板材１５に係合させるとともに、上端２７ｅから上方に、下端２７ｆから下方に、係合凸部２５と係合凹部２６がそれぞれ突出するように枠部材２７が取り付けられている。且つ、枠部材２７が一対の段部２７ｂと一対の第２側壁部２７ｃと底板部２７ｄを備えて形成されている。さらに、底板部２７ｄの幅ｔ４を係合凸部２５の係合当接部２５ｂの幅ｔ５より大きくして形成されている。
【００５４】
このため、板材１５の一側端部１５ｃと他側端部１５ｄをそれぞれ互いの保持部材２８の嵌合溝２８ａに嵌合させつつ、上方の板材１５と下方の板材１５の係合凸部２５と係合凹部２６を係合させて複数の板材１５を積み重ねた状態で、上下に積み重ねた板材１５に相対的な横ずれが生じると、上下に積み重ねた一方の板材１５の係合凹部２６を画成し、下端２７ｆから突出した一対の突部２６ａが、他の板材１５に取り付けられた枠部材２７の段部２７ｂに当接し、さらに、一方の板材１５の係合凸部２５が他の板材１５に取り付けられた枠部材２７の底板部２７ｄに当接する。
【００５５】
これにより、上下の板材１５同士が、一方の板材１５の一対の突部２６ａと他方の板材１５に取り付けられた枠部材２７の段部２７ｂとの間の隙間寸法（板材１５の幅方向Ｌ１の離間距離）、一方の板材１５の係合凸部２５と他方の板材１５に取り付けられた枠部材２７の底板部２７ｄとの間の隙間寸法（板材１５の幅方向Ｌ１の離間距離）よりも大きく横ずれすることを防止できる。すなわち、複数の板材１５の幅寸法Ｌ１の誤差を前記隙間寸法で許容しつつ、この隙間寸法よりも大きく板材１５が相対的に横ずれすることを防止できる。
【００５６】
よって、本実施形態の板張り壁構造Ｃ及びこれを備えた建物外部構築物Ｂによれば、上下に積み重ねて壁面を形成する板材１５の横ずれ、ガタつきを防止し、好適に壁面を形成することが可能になり、信頼性、利便性や快適性に優れたサンルームやテラス、バルコニーなどのガーデンルームタイプの建物外部構築物Ｂを実現することが可能になる。
【００５７】
また、本実施形態の板張り壁構造Ｃ及びこれを備えた建物外部構築物Ｂにおいては、複数の板材１５を予め枠部材２７でユニット化した板材ユニット３０を上下に積み重ねてゆくことで、すなわち、下方の板材ユニット３０の最上方の板材１５と上方の板材ユニット３０の最下方の板材１５の互いの係合凸部２５、係合凹部２６を係合させながら複数の板材ユニット３０を積み重ねてゆくことで、効率よく壁を構築することができる。
【００５８】
また、上下に積み重ねた板材ユニット３０同士が、一方の板材ユニット３０の板材１５の一対の突部２６ａと他方の板材ユニット３０の枠部材２７の段部２７ｂとの間の隙間寸法、一方の板材ユニット３０の板材１５の係合凸部２５と他方の板材ユニット３０に取り付けられた枠部材２７の底板部２７ｄとの間の隙間寸法よりも大きく横ずれすることを防止できる。これにより、複数の板材１５の幅Ｌ１寸法の誤差を前記隙間寸法で許容しつつ、複数の板材１５を一体にしたユニット単位で、前記隙間寸法よりも大きく板材１５（板材ユニット３０）が相対的に横ずれすることを防止できる。
【００５９】
さらに、本実施形態の板張り壁構造Ｃ及びこれを備えた建物外部構築物Ｂにおいては、係合凸部２５の突出長ｔ１を係合凹部２６の凹み長ｔ２よりも大きくして係合凸部２５と係合凹部２６を形成することにより、係合凸部２５と係合凹部２６を係合させた状態で、係合凸部２５の軸部２５ａの基端が繋がる一方の板材１５の上端部１５ａと、係合凹部２６を形成する一対の突部２６ａの先端の他方の板材１５の下端部１５ｂとの上下方向Ｓ３の間に隙間ｈ１を形成することができる。
【００６０】
そして、この隙間ｈ１に、例えば、図９に示すように、棚板３１の端部を差し込み、板張り壁構造Ｃに容易に棚板３１を設置することができる。これにより、隙間ｈ１を設けることで板張り壁構造Ｃに他の機能を付与することができ、板張り壁構造Ｃをさらに有効活用することができる。
【００６１】
また、このとき、板張り壁構造Ｃの係合凸部２５が、板材１５の上端部１５ａに基端を繋げて上下方向Ｓ３に突出する軸部２５ａと、軸部２５ａの先端から板材１５の厚さ方向Ｌ３に突出し、係合凹部２６の内面に当接して係合する係合当接部２５ｂとを備えて断面Ｔ字状に形成され、枠部材２７が、底板部２７ｄの幅ｔ３を係合凸部２５の係合当接部２５ｂの幅ｔ４より大にして形成されていることにより、係合凹部２６を画成する突部２６ａと係合凸部２５の軸部２５ａの間にも隙間ｈ２を形成することができる。
【００６２】
これにより、例えば、図１０に示すように、棚板３１の端部に設けた金具などを突部２６ａと軸部２５ａの間の隙間ｈ２に差し込み、一方の板材１５と他方の板材１５の上下方向Ｓ３の隙間ｈ１に棚板３１の端部を差し込んで、板張り壁構造Ｃに容易に且つしっかりと安定的に固定して棚板３１を設置することが可能になる。
【００６３】
以上、本発明に係る板張り壁構造及びこれを備えた建物外部構築物の一実施形態について説明したが、本発明は上記の一実施形態に限定されるものではなく、その趣旨を逸脱しない範囲で適宜変更可能である。
【００６４】
例えば、本実施形態では、板張り壁構造Ｃがサンルームなどの建物外部構築物Ｂの側面壁部３を構成するものとして説明を行ったが、本発明に係る板張り壁構造は、必ずしも建物外部構築物Ｂの壁構造に用いることに限定しなくてもよく、他のあらゆる壁構造に適用可能である。
【００６５】
また、本実施形態では、建物外部構築物Ｂがガーデンルームタイプの建物外部構築物であるものとして説明を行ったが、本発明に係る建物外部構築物はサイドスルータイプの建物外部構築物であってもよい。また、板張り壁構造Ｃが建物外部構築物Ｂの側面壁部３を構成するものとして説明を行ったが、前面壁部１に適用してもよく、さらに、エクステリア構築物などの単体構築物に適用してもよい。そして、このような場合であっても、本実施形態と同様の作用効果を得ることが可能である。
【００６６】
さらに、本実施形態では、板張り壁構造Ｃの板材１５が、その上端部（一端部）１５ａに係合凸部２５を備え、下端部（他端部）１５ｂに係合凹部２６を備えて形成されているものとしたが、上端部（一端部）１５ａに係合凹部２６を、下端部（他端部）１５ｂに係合凸部２５を設けてもよい。この場合においても、勿論、本実施形態と同様の作用効果を得ることが可能である。
【００６７】
また、本実施形態では、複数の板材１５を積み重ね、一対の枠部材２７を取り付けて板材ユニット３０を形成し、この板材ユニット３０を上下方向Ｓ３に積み重ねることで、板張り壁構造Ｃが構成されるように説明を行ったが、ユニット化せずに、各板材１５に一対の枠部材２７を取り付け、複数の板材１５を上下に積み重ねて板張り壁構造Ｃを構成するようにしてもよい。この場合においても、本実施形態と同様の作用効果を得ることが可能である。
【００６８】
また、本実施形態では、板材１５がアルミ押出し形材であるものとしたが、板材１５は、木材、他の鋼材などであってもよく、特にその材質を限定する必要はない。
【符号の説明】
【００６９】
１      前面壁部
２      屋根部
２ａ    一端
２ｂ    他端
３      側面壁部
４      基礎
５      基台
６      支柱
６ａ    下端部
７      桁
８      前面パネル（壁面部材）
１０    垂木掛け
１１    垂木
１２    屋根材
１３    側面パネル（壁面部材）
１４    折り戸
１５    板材（羽目板）
１５ａ  上端部（一端部）
１５ｂ  下端部（他端部）
１５ｃ  一側端部
１５ｄ  他側端部
１６    従来の板張り壁（板張り壁構造）
１７    中骨材（連結材）
１８    妻梁
２０    方形状の枠部
２１    略三角形状の枠部
２２    ＦＩＸ窓
２５    係合凸部
２５ａ  軸部
２５ｂ  係合当接部
２６    係合凹部
２６ａ  突部
２７    枠部材
２７ａ  第１側壁部
２７ｂ  段部
２７ｃ  第２側壁部
２７ｄ  底板部
２７ｅ  上端
２７ｆ  下端
２８    保持部材
２８ａ  嵌合溝
３０    板材ユニット
３１    棚板
Ａ      従来の建物外部構築物
Ｂ      建物外部構築物
Ｃ      板張り壁（板張り壁構造）
ｈ１    隙間
ｈ２    隙間
Ｌ１    板材の幅（幅方向）
Ｌ２    板材の高さ（高さ方向）
Ｌ３    板材の厚さ（厚さ方向）
Ｓ１    横方向
Ｓ２    横方向（奥行き方向）
Ｓ３    上下方向
Ｔ      建物本体
Ｔ１    外壁
ｔ１    係合凸部の突出長
ｔ２    係合凹部の凹み長
【図１】
2015132116.tif 000003
【図２】
2015132116.tif 000004
【図３】
2015132116.tif 000005
【図４】
2015132116.tif 000006
【図５】
2015132116.tif 000007
【図６】
2015132116.tif 000008
【図７】
2015132116.tif 000009
【図８】
2015132116.tif 000010
【図９】
2015132116.tif 000011
【図１０】
2015132116.tif 000012